(57)【要約】【課題】  気管チューブを交換しても、気管チューブの先端と挿入部の先端の相対位置を精度良くかつ容易に調整することができる気道観察装置及びアジャスタを提供する。【解決手段】  気道内に挿入して気道を確保する気管チューブと、気管チューブを気道に挿入するときの気道観察を行う内視鏡と、気管チューブを内視鏡に対して相対移動可能とするアジャスタを備え、このアジャスタは、挿入部の基端側の周囲を囲むように操作部に固定された筒状部と、筒状部の外周において筒状部に対してその軸方向に相対移動可能に装着され、移動方向に沿って複数の指標が所定間隔で配置され、気管チューブの基端部が接続固定される筒状の調整部材と、筒状部の軸方向の所定位置に配置され、調整部材の筒状部に対する相対移動を規制する規制手段と、を有し、調整部材を筒状部に対して相対移動させて複数の指標の何れかを規制手段の位置に合わせることにより、挿入部と気管チューブとの長さ方向の相対位置を調整する。【選択図】  図２
2005218785.tif 000002
【特許請求の範囲】
【請求項１】
気道内に挿入して気道を確保する気管チューブと、前記気管チューブを前記気道に挿入するときの気道観察を行う内視鏡と、前記気管チューブを前記内視鏡に対して相対移動可能とするアジャスタと、を備え、
前記内視鏡は、操作部と、前記操作部から外方に延出する細長の挿入部と、を有し、
前記アジャスタは、前記挿入部の基端側の周囲を囲むように前記操作部に固定された筒状部と、前記筒状部の外周において前記筒状部に対してその軸方向に相対移動可能に装着され、移動方向に沿って複数の指標が所定間隔で配置され、前記気管チューブの基端部が接続固定される筒状の調整部材と、前記筒状部の軸方向の所定位置に配置され、前記調整部材の前記筒状部に対する相対移動を規制する規制手段と、を有し、
前記調整部材を前記筒状部に対して相対移動させて前記複数の指標の何れかを前記規制手段の位置に合わせることにより、前記挿入部と前記気管チューブとの長さ方向の相対位置を調整することを特徴とする気道観察装置。
【請求項２】
前記調整部材には、その軸方向に沿って長孔状に延び、周壁を貫通する孔部が形成され、前記複数の指標が前記孔部に沿って前記調整部材の表面に表示されている請求項１記載の気道観察装置。
【請求項３】
前記指標は、前記挿入部の先端から前記調整部材上の所定位置までの距離を示す請求項１又は請求項２記載の気道観察装置。
【請求項４】
前記指標は、前記気管チューブの内径を示す数値である請求項１又は請求項２記載の気道観察装置。
【請求項５】
前記指標は、前記気管チューブの型式を示す記号である請求項１又は請求項２記載の気道観察装置。
【請求項６】
前記規制手段は、前記孔部の幅より大きな外径を有する頂部と、前記頂部から延出し、前記筒状部の軸方向の所定位置に設けられたネジ穴に螺合される軸部とによって構成されたネジであって、前記調整部材の外方から前記孔部を介して前記軸部が前記ネジ穴に螺合された前記ネジを、前記調整部材に締め付けることにより、前記筒状部に対する前記調整部材の相対移動を規制する請求項２乃至請求項５のいずれか１項記載の気道観察装置。
【請求項７】
気道内に挿入して気道を確保する気管チューブを、前記気管チューブを前記気道に挿入するときの気道観察を行う内視鏡に対して相対移動可能とするアジャスタであって、
前記内視鏡の操作部から外方に延出する細長の挿入部の基端側の周囲を囲むように前記操作部に固定される筒状部と、
前記筒状部の外周において前記筒状部に対してその軸方向に相対的移動可能に装着され、移動方向に沿って複数の指標が所定間隔で配置され、前記気管チューブの基端部が接続固定される筒状の調整部材と、
前記筒状部の軸方向の所定位置に配置され、前記調整部材の前記筒状部に対する相対移動を規制する規制手段と、を有し、
前記調整部材を前記筒状部に対して相対移動させて前記複数の指標の何れかを前記規制手段の位置に合わせることにより、前記挿入部と前記気管チューブとの長さ方向の相対位置を調整することを特徴とするアジャスタ。
【請求項８】
前記調整部材には、その軸方向に沿って長孔状に延び、周壁を貫通する孔部が形成され、前記複数の指標が前記孔部に沿って前記調整部材の表面に表示されている請求項７記載のアジャスタ。
【請求項９】
前記指標は、前記挿入部の先端から前記調整部材上の所定位置までの距離を示す請求項７又は請求項８記載のアジャスタ。
【請求項１０】
前記指標は、前記気管チューブの内径を示す数値である請求項７又は請求項８記載のアジャスタ。
【請求項１１】
前記指標は、前記気管チューブの型式を示す記号である請求項７又は請求項８記載のアジャスタ。
【請求項１２】
前記規制手段は、前記孔部の幅より大きな外径を有する頂部と、前記頂部から延出し、前記筒状部の軸方向の所定位置に設けられたネジ穴に螺合される軸部とによって構成されたネジであって、前記調整部材の外方から前記孔部を介して前記軸部が前記ネジ穴に螺合された前記ネジを、前記調整部材に締め付けることにより、前記筒状部に対する前記調整部材の相対移動を規制する請求項８乃至請求項１１のいずれか１項記載のアジャスタ。
【発明の詳細な説明】
【技術分野】
【０００１】
本発明は、気道内に気管チューブを挿入して気道を確保し、気管チューブを経由して内視鏡を気道内に挿入する気道観察装置及びこれに用いるアジャスタに関する。
【背景技術】
【０００２】
従来、気道を確保しつつ観察する装置としては、例えば特開平８−６６３５８号公報に示すように、操作部から外方に延出する細長の挿入部を有する内視鏡と、挿入部の周囲を覆う気管チューブ（チューブ）とを備え、気管チューブを気道内に挿入して気道を確保し、挿入部を介して患部の観察や治療を行うように構成されたものが知られている。一般に、気管チューブは殺菌を行うために使用後に内視鏡から取り外されて新品と交換される。また、気管チューブには、患者の体の大きさに合わせることができるように、全長や径が異なる複数の型式があり、これらの気管チューブが共通の内視鏡に装着されることが多い。このような装置において前症例との比較を精度良く行うためには、気管チューブの交換毎に、気管チューブの先端と挿入部の先端との相対位置を精度良く合わせることが必要となる。
【０００３】
特開平８−６６３５８号公報に記載された装置においては、アタッチメントを介して気管チューブが操作部に接続される。すなわち、操作部の前端に挿入部の基端側の周囲を囲む筒状部が突き出して備えられ、筒状部に筒状のアタッチメントがスライド自在に嵌合され、このアタッチメントに気管チューブの後端部が固定されている。そして、アタッチメントと筒状部とを互いに軸方向にスライドさせて気管チューブの先端と挿入部の先端との相対位置を調整し、アタッチメントを筒状部に固定している。
【特許文献１】特開平８−６６３５８号公報
【発明の開示】
【発明が解決しようとする課題】
【０００４】
上述の装置においては、気管チューブの先端と挿入部の先端の相対位置の調整は、それぞれの操作者の感覚に任せて行われるため、気管チューブの交換毎に、又は、操作者が変わるごとに、相対位置を精度良く合わせることができず、前症例との比較を精度良く行うことが困難になる虞があった。
【０００５】
そこで、本発明は、気管チューブを交換しても、気管チューブの先端と挿入部の先端の相対位置を精度良くかつ容易に調整することができる気道観察装置及びアジャスタを提供することを目的とする。さらに、本発明は、全長の異なる気管チューブを用いる場合であっても、気管チューブの先端と挿入部の先端の相対位置を一定にすることができる気道観察装置及びこれに用いるアジャスタを提供することをも目的とする。
【課題を解決するための手段】
【０００６】
上記課題を解決するために、本発明の気道観察装置においては、気道内に挿入して気道を確保する気管チューブと、気管チューブを気道に挿入するときの気道観察を行う内視鏡と、気管チューブを内視鏡に対して相対移動可能とするアジャスタを備え、内視鏡は、操作部と、操作部から外方に延出する細長の挿入部と、を有し、アジャスタは、挿入部の基端側の周囲を囲むように操作部に固定された筒状部と、筒状部の外周において筒状部に対してその軸方向に相対移動可能に装着され、移動方向に沿って複数の指標が所定間隔で配置され、気管チューブの基端部が接続固定される筒状の調整部材と、筒状部の軸方向の所定位置に配置され、調整部材の筒状部に対する相対移動を規制する規制手段と、を有し、調整部材を筒状部に対して相対移動させて複数の指標の何れかを規制手段の位置に合わせることにより、挿入部と気管チューブとの長さ方向の相対位置を調整することを特徴としている。
【０００７】
本発明のアジャスタにおいては、気道内に挿入して気道を確保する気管チューブを、気管チューブを気道に挿入するときの気道観察を行う内視鏡に対して相対移動可能とするアジャスタであって、内視鏡の操作部から外方に延出する細長の挿入部の基端側の周囲を囲むように操作部に固定される筒状部と、筒状部の外周において筒状部に対してその軸方向に相対的移動可能に装着され、移動方向に沿って複数の指標が所定間隔で配置され、気管チューブの基端部が接続固定される筒状の調整部材と、筒状部の軸方向の所定位置に配置され、調整部材の筒状部に対する相対移動を規制する規制手段と、を有し、調整部材を筒状部に対して相対移動させて複数の指標のいずれかを規制手段の位置に合わせることにより、挿入部と気管チューブとの長さ方向の相対位置を調整することを特徴としている。
【０００８】
上記調整部材には、その軸方向に沿って長孔状に延び、周壁を貫通する孔部が形成され、複数の指標が孔部に沿って調整部材の表面に表示されていることが好ましい。
【０００９】
上記指標は、挿入部の先端から調整部材上の所定位置までの距離を示すことが好ましい。
【００１０】
上記指標は、気管チューブの内径を示す数値とすることもでき、気管チューブの型式を示す記号とすることもできる。
【００１１】
上記規制手段は、孔部の幅より大きな外径を有する頂部と、頂部から延出し、筒状部の軸方向の所定位置に設けられたネジ穴に螺合される軸部とによって構成されたネジであって、調整部材の外方から孔部を介して軸部がネジ穴に螺合されたネジを、調整部材に締め付けることにより、筒状部に対する調整部材の相対移動を規制することが好ましい。
【発明の効果】
【００１２】
本発明によれば、筒状部の外周にスライド自在に装着された調整部材に複数の指標を配置し、この調整部材を筒状部に対して相対移動させて筒状部の所定位置に配置された規制手段の位置に指標のいずれかを合わせることにより、挿入部と気管チューブとの長さ方向の相対位置を調整することができるアジャスタを設けたことにより、気管チューブを交換しても、気管チューブの先端と挿入部の先端の相対位置を精度良くかつ容易に調整することができ、さらに、全長の異なる気管チューブを用いる場合であっても、気管チューブの先端と挿入部の先端との相対位置を一定にすることができる。
【発明を実施するための最良の形態】
【００１３】
＜第１実施形態＞
本発明の第１実施形態に係る気道観察装置及びアジャスタについて図１及び図２を参照しつつ説明する。第１実施形態に係る気道観察装置１０は、内視鏡２０、気管チューブ４０及びアジャスタ５０を有する。
【００１４】
図１に示すように、内視鏡２０は、操作者が把持する操作部２２と、この操作部２２から外方に延出する細長で可撓性を有する挿入部２３と、を備えている。挿入部２３は、その周囲をアジャスタ５０及び気管チューブ４０により覆われる。挿入部２３及び気管チューブ４０は、咽喉頭の形態に合わせて人間の手で容易に曲げて使用できるような半硬質材料又は軟質材料で形成されている。
【００１５】
操作部２２には、挿入部２３の先端２３ａから光を照射するための光源３０、被観察像を拡大して観察するための接眼部３１、電子画像をプロセッサー（図示せず）に送るためのコネクタ３２、及び処置具（例えば、鉗子）の挿入口３３が接続されている。
【００１６】
気管チューブ４０の先端側近傍の外周には、挿入口３３からの空気の流入によって膨らませることができるバルーン（図示せず）が備えられている。そして、内視鏡２０は、気管チューブ４０と共に挿入部２３を気道内に挿入し、気道内の所定の位置で図示しないバルーンを膨らませて気管チューブ４０を気道内に固定し、挿入部２３を介して患部を観察、治療できるように構成されている。
【００１７】
次に、図２に基づいて、アジャスタ５０を用いた気管チューブ４０と内視鏡２０の取り付け構造を説明する。アジャスタ５０は、筒状部５２と、調整部材５１と、規制手段としてのネジ５４と、を有する。
【００１８】
操作部２２の前端２２ａには、挿入部２３の基端部２３ｂを覆うように筒状部５２がネジ止め固定されている。筒状部５２の外周には、筒状の調整部材５１が同心状に嵌合されている。調整部材５１は、筒状部５２に対して、調整部材５１及び筒状部５２の軸方向（図２のＸ方向）にスライド自在に装着されている。この調整部材５１の先端の内周５１ａにはフランジ部５６の筒状の後端部５９が接着固定されている。フランジ部５６は、先細となっている先端部５８を気管チューブ４０の基端部４１内に圧入することができ、これによりフランジ部５６と気管チューブ４０を固定することができる。このような構成により、調整部材５１、フランジ部５６及び気管チューブ４０は、一体となって調整部材５１の軸方向において筒状部５２に対して相対的にスライド可能である。ここで、フランジ部５６は、気管チューブ４０を調整部材５１に柔軟に連結しその連結部を滑らかに曲げることができるように、弾性を有する軟質材（例えば、シリコ−ンゴムなどの合成樹脂）で形成されている。
【００１９】
調整部材５１には、その軸方向（スライド方向）に沿って延び、調整部材５１の周壁を貫通する長孔状の孔部５１ｂが形成されている。調整部材５１の表面には、孔部５１ｂに沿って、複数の目盛りＭが所定の間隔を介して表示されている。目盛りＭのそれぞれには、挿入部２３の先端２３ａ（図１）からフランジ部５６の仕切り板５７の前面５７ａまでの距離を表す数値（指標）（例えば、３５ｃｍ、３６ｃｍ、３７ｃｍ、及び３８ｃｍ（図２））が付されている。目盛りＭおよびこれに付された数値はそれぞれ印刷によって調整部材５１上に形成されている。
【００２０】
筒状部５２の外周からは、筒状部５２の軸に向かう方向において、有底のネジ穴５３が穿設されている。このネジ穴５３は、調整部材５１の孔部５１ｂ内に露出して表れるように配置される。
【００２１】
また、アジャスタ５０は、調整部材５１の筒状部５２に対する相対移動を規制するためのネジ５４を備えている。ネジ５４は、孔部５１ｂの長手方向（調整部材５１の軸方向）に直交する幅（Ｗ）より大きい外径を有する円板状の頂部５４ａと、頂部５４ａから延出し、孔部５１ｂを介してネジ穴５３に螺合する軸部５４ｂとによって構成されている。
【００２２】
このような構成において、ネジ５４を調整部材５１の外方から孔部５１ｂを介して筒状部５２のネジ穴５３に螺合させ、調整部材５１に締め付けることにより、調整部材５１の筒状部５２に対する相対移動が規制される。
【００２３】
気管チューブ４０を内視鏡２０に装着するときの気管チューブ４０と挿入部２３の相対位置の調整は以下のように行う。
【００２４】
仕切り板５７及び気管チューブ４０と一体に移動可能な調整部材５１を筒状部５２に対してその軸方向に相対的にスライドさせ、頂部５４ａの中心５４ａ１に複数の目盛りＭのうちの所定の数値が付された目盛りＭを合わせる。すると、挿入部２３の先端２３ａ（図１）から仕切り板５７の前面５７ａ（調整部材上の所定位置）までの距離が所定の目盛りＭに付された数値に設定される。これに伴って気管チューブ４０の先端４２（図１）から挿入部２３の先端２３ａ（図１）までの距離も所望の値に設定することができる。なお、目盛りＭに付された数値は、フランジ部５６または調整部材５１上の任意の位置から挿入部２３の先端２３ａまでの距離とすることもできる。
【００２５】
したがって、交換前の気管チューブ４０と全長の等しい気管チューブ４０に交換する場合は、同じ目盛りＭの位置に頂部５４ａの中心５４ａ１を合わせればよい。一方、気管チューブ４０の交換毎に使用される気管チューブ４０の全長が異なる場合には、交換後の気管チューブ４０の全長に合わせて所望の目盛りＭの位置に中心５４ａ１を配置させる。
【００２６】
＜第２実施形態＞
つづいて、本発明の第２実施形態について説明する。第２実施形態においては、第１実施形態と同じ部材については同じ参照符号を使用する。
【００２７】
第２実施形態においては、第１実施形態の複数の目盛りＭに代えて、複数の目盛りＮが所定の間隔をおいて調整部材５１上に表示してある。目盛りＮのそれぞれには気管チューブ４０の内径を表す数値（指標）（例えば、７．０ｍｍ、７．５ｍｍ、８．０ｍｍ、８．５ｍｍ（図３））が付されている。頂部５４ａの中心５４ａ１を、装着する気管チューブ４０の内径を示す数値が付された目盛りＮに合わせることにより、挿入部２３の先端２３ａ（図１）から仕切り板５７の前面５７ａまでの距離を所定の値に設定することができる。目盛りＮおよびこれに付された数値はそれぞれ印刷によって調整部材５１上に形成されている。
【００２８】
気管チューブ４０は、内径によってその全長が異なるものがある。例えば内径が小さくなるに従い全長が短くなる種類のものを用いた場合、内視鏡２０に気管チューブ４０を装着するときの気管チューブ４０と挿入部２３の相対位置の調整は以下のように行う。仕切り板５７及び気管チューブ４０と一体に移動可能な調整部材５１を筒状部５２に対してその軸方向に相対的にスライドさせ、頂部５４ａの中心５４ａ１に複数の目盛りＮのうちの気管チューブ４０の内径と同じ数値が付された目盛りＮを合わせる。すると、気管チューブ４０の内径と全長が比例するため、挿入部２３の先端２３ａ（図１）から仕切り板５７の前面５７ａまでの距離を所定の値に設定することができる。これに伴って気管チューブ４０の先端４２（図１）から挿入部２３の先端２３ａ（図１）までの距離も所望の値に設定することができる。
なお、その他の構成、作用、効果は第１実施形態と同様である。
【００２９】
本発明は、上述の第１及び第２実施例に限定されることなく、種々の態様をとることができる。例えば、気管チューブ４０の全長が型式番号に依存する場合には、気管チューブ４０の内径を表す数値の代わりに気管チューブ４０の型式番号を表示してもよい。
【００３０】
また、調整部材５１の表面への目盛りＭ、Ｎ及び数値の表示は、刻印によって行うこともでき、また、目盛りＭ、Ｎ及び数値を表示したラベルを調整部材５１に着脱する構成としてもよい。これにより、気管チューブ４０の全長に合わせてラベルを交換することができる。
【００３１】
本発明について上記実施形態を参照しつつ説明したが、本発明は上記実施形態に限定されるものではなく、改良の目的または本発明の思想の範囲内において改良または変更が可能である。
【図面の簡単な説明】
【００３２】
【図１】本発明の第１実施形態に係る気道観察装置の構成を示す外観図である。
【図２】（ａ）は本発明の第１実施形態に係る気道観察装置のアジャスタの構成を拡大して示した外観図であり、（ｂ）は（ａ）のＩＩＢ−ＩＩＢ線に沿った断面図である。
【図３】（ａ）は本発明の第２実施形態に係る気道観察装置のアジャスタの構成を拡大して示した外観図であり、（ｂ）は（ａ）のＩＩＩＢ−ＩＩＩＢ線に沿った断面図である。
【符号の説明】
【００３３】
２０    内視鏡
２２    操作部
２３    挿入部
４０    気管チューブ
４１    基端部
５０    アジャスタ
５１    調整部材
５１ｂ  孔部
５２    筒状部
５３    ネジ穴
５４    ネジ（規制手段）
Ｍ      目盛り
Ｎ      目盛り
Ｘ      軸方向
【図１】
2005218785.tif 000003
【図２】
2005218785.tif 000004
【図３】
2005218785.tif 000005